(57)【要約】      （修正有）【課題】携帯情報端末及びＩＣカードを同一のケース本体にコンパクトに収容して携帯することができると共に、携帯情報端末あるいはＩＣカードの読取動作の際に、装飾的な発光効果によって送受信状態を確認することができる携帯ケースを提供する。【解決手段】携帯情報端末１２が収容可能な端末ホルダ部１５及びＩＣカード１３が収容可能なカードホルダ部１６を有する携帯ケース１１において、端末ホルダ部１５及びカードホルダ部１６が折曲げ部２０を介して二つ折り可能に形成され、端末ホルダ部１５に携帯情報端末１２及びＩＣカード１３の送受信を検知するアンテナ部１８を、カードホルダ部１６にアンテナ部１８からの給電を受けて発光する発光部１９を設ける。【選択図】図１
0003198867.tif 000002
【実用新案登録請求の範囲】
【請求項１】
携帯情報端末が収容可能な端末ホルダ部及びＩＣカードが収容可能なカードホルダ部を有する携帯ケースにおいて、
前記端末ホルダ部及びカードホルダ部が折曲げ部を介して二つ折り可能に形成され、
前記端末ホルダ部に携帯情報端末及びＩＣカードの送受信を検知するアンテナ部を、前記カードホルダ部に前記アンテナ部からの給電を受けて発光する発光部を設けたことを特徴とする携帯ケース。
【請求項２】
前記端末ホルダ部及び前記カードホルダ部は前記折曲げ部を介して二つ折り可能なケース本体に設けられ、ケース本体の一方の内側面に前記端末ホルダ部が、他方の内側面に前記カードホルダ部がそれぞれ設けられている請求項１に記載の携帯ケース。
【請求項３】
前記アンテナ部と前記発光部とを電気的に接続するフレキシブル回路基板が、前記折曲げ部を介して端末ホルダ部側とカードホルダ部側とに亘って配置されている請求項１に記載の携帯ケース。
【請求項４】
前記端末ホルダ部が設けられたケース本体の外側面には前記アンテナ部が設けられ、前記カードホルダ部が設けられたケース本体の外側面には前記発光部が設けられている請求項２に記載の携帯ケース。
【請求項５】
前記アンテナ部は、前記携帯情報端末又はＩＣカードによる送受信の際に生じる搬送波を検知して電力を生じさせるアンテナコイルを有し、
前記発光部は、前記電力によって発光する複数の発光ダイオードを有する請求項１に記載の携帯ケース。
【請求項６】
前記端末ホルダ部が設けられるケース本体には携帯情報端末に内蔵のカメラ面が露出するカメラ窓が設けられ、前記カードホルダ部が設けられるケース本体の外側面には前記複数の発光ダイオードが露出する発光窓が設けられている請求項１又は５に記載の携帯ケース。
【請求項７】
前記端末ホルダ部には前記携帯情報端末を着脱可能に保持する保持枠が設けられ、前記カードホルダ部にはＩＣカードをカードホルダ部内に差し込むための複数の挿入スリットが設けられている請求項１又は２に記載の携帯ケース。
【考案の詳細な説明】
【技術分野】
【０００１】
本考案は、携帯情報端末及び非接触ＩＣカード類を収容すると共に、発光による表示機構を有した携帯ケースに関する。
【背景技術】
【０００２】
近年、電子マネー機能を備えた様々な非接触ＩＣカード（ＩＣカード）が発行され、交通機関や各種店舗等において利用されている。また、スマートフォンや携帯電話等に代表される携帯情報端末も普及し、この中には電子マネー機能を備えたものもある。このようなＩＣカードや携帯情報端末の普及に伴って、安全に携帯するための様々な種類のケース類が使用されている。
【０００３】
前記ＩＣカードや携帯情報端末に備わる電子マネー等における送受信機能は、近距離通信（ＮＦＣ）によって非接触の状態で行われるため、外部のリーダ／ライタ装置側から発せられる電子音等によって実際に認識されたかどうかの確認を行っている場合が多い。
【０００４】
一方、前記ケースについては、単にＩＣカードや携帯情報端末を収容するだけでなく、送受信動作に伴って各種の発光パターンによって発光するなどの嗜好性を持たせたものがある。特許文献１には、ＩＣカードを収容して携帯するためのパスケースが開示されている。このパスケースは、アンテナコイルと、このアンテナコイルの端部間に接続される発光素子（ＬＥＤ）を備えており、ＩＣカードの読取情報の送受信の際に発生する搬送波によって前記ＬＥＤを発光させるといった機能を有している。
【０００５】
特許文献２，３は、スマートフォンや携帯電話等の携帯情報端末に装着されるケースに関するものである。特許文献２に開示されているケースは、表示面を露出して収容され、その表示面の縁部に発光表示用のＬＥＤを配置したものとなっている。特許文献３には、スマートフォンの表面の所定部分を覆うように構成され、内面に溝部が形成されたケース本体と、非接触で外部と通信可能に構成され、前記溝部に収納されるＩＣモジュールと、このＩＣモジュールを覆うようにしてケース本体の内面に固定される磁性シートとを備えたものとなっている。
【先行技術文献】
【特許文献】
【０００６】
【特許文献１】実用新案登録第３１３２１２８号
【特許文献２】実用新案登録第３１８２７２２号
【特許文献３】実用新案登録第３１６６１７０号
【考案の概要】
【考案が解決しようとする課題】
【０００７】
特許文献１に開示されているパスケースはＩＣカード専用のものであり、特許文献２，３に開示されている携帯ケースは携帯情報端末に特化したものとなっている。
【０００８】
一方、上記携帯情報端末とＩＣカード類とを収容するための携帯ケースはあるが、それぞれをまとめて携帯することを主目的としたものであり、データの送受信動作に際して発光表示等を行うものではない。
【０００９】
このように、携帯情報端末と複数のＩＣカードとを同時に収容した状態でリーダ／ライタ装置との送受信を行うと共に、この送受信状態を発光による視覚効果によって確認可能に構成された携帯ケースがなかった。
【００１０】
そこで、本考案の目的は、携帯情報端末及びＩＣカードを同一のケース本体にコンパクトに収容して携帯することができると共に、前記携帯情報端末あるいはＩＣカードの読取動作の際に、装飾的な発光効果によって送受信状態を確認することができる携帯ケースを提供することである。
【課題を解決するための手段】
【００１１】
上記課題を解決するために、本考案の携帯ケースは、携帯情報端末が収容可能な端末ホルダ部及びＩＣカードが収容可能なカードホルダ部を有する携帯ケースにおいて、前記端末ホルダ部及びカードホルダ部が折曲げ部を介して二つ折り可能に形成され、前記端末ホルダ部に携帯情報端末及びＩＣカードの送受信を検知するアンテナ部を、前記カードホルダ部に前記アンテナ部からの給電を受けて発光する発光部を設けたことを特徴とする。
【考案の効果】
【００１２】
本考案の携帯ケースによれば、携帯情報端末と複数のＩＣカードとを同時に収容して携帯することが可能であり、各種のリーダ／ライタ装置にかざして携帯情報端末やＩＣカードのデータを読み取る際に、発光による装飾的な視覚効果を得ることができる。
【００１３】
また、アンテナ部及び発光部がケース本体に組み込み可能なフレキシブル回路基板によって形成されているので、嵩張ることがなく携帯性に優れている。このため、前記ケース本体を二つ折りした状態のままで各種のリーダ／ライタ装置にかざして携帯情報端末やＩＣカードとの送受信及びこれに伴う各種の発光表示を行うことができる。
【００１４】
さらに、前記ケース本体は、前記折曲げ部を介した外側面の一方の面が前記アンテナ部を構成し、他方の面が前記発光部を構成しているので、アンテナ部における給電効率が高められると共に、発光部におけるＬＥＤの配置構成や発光のバリエーションの自由度を十分に確保することができる。
【図面の簡単な説明】
【００１５】
【図１】本考案に係る携帯ケースの全体構成を示す分解斜視図である。
【図２】上記携帯ケースを閉じたときの斜視図である。
【図３】上記携帯ケースのＡ−Ａ断面図である。
【図４】上記携帯ケースの使用例を示す説明図である。
【考案を実施するための形態】
【００１６】
以下、添付図面に基づいて、本考案に係る携帯ケースの実施の形態を詳細に説明する。図１は本考案の携帯ケースを開いたときの内側面から見た斜視図、図２は携帯ケースを閉じたときの外側面から見た斜視図、図３は携帯ケースを閉じたときの断面図、図４は携帯ケースの使用状態を示す説明図である。
【００１７】
図１に示すように、本考案の携帯ケース１１は、スマートフォンや携帯電話等の携帯情報端末１２を収容する端末ホルダ部１５及びＩＣカード１３を収容するカードホルダ部１６を内側面２１ａ，２１ｂに有し、前記端末ホルダ部１５とカードホルダ部１６とが見開きで開閉可能な内側面及び外側面からなる折曲げ部２０を有するケース本体１４と、このケース本体１４の前記折曲げ部２０を介した内側面２１ａ，２１ｂと外側面２２ａ，２２ｂとの間に装着され、前記携帯情報端末１２及びＩＣカード１３の送受信動作を感知し、所定の発光パターンによって発光させるためのフレキシブル回路基板１７とを備える。
【００１８】
前記ＩＣカード１３は、カード本体の内部にＩＣチップやループ状のアンテナコイルを有し、図４に示す外部のリーダ／ライタ装置３０から発信される搬送波を前記アンテナコイルで受け、ここで発生した電力によってＩＣチップの送受信機能を発揮させ、非接触でデータの送受信を行う。また、携帯情報端末１２は、搭載されている電子マネー等のアプリケーションを起動させることによって、前記リーダ／ライタ装置３０との間における近距離通信（ＮＦＣ）を行い得るものである。
【００１９】
前記端末ホルダ部１５には、収容する携帯情報端末１２の外周部を保持する保持枠２３が設けられている。この保持枠２３は、携帯情報端末１２の外周面に適合するような樹脂材によって形成されており、携帯情報端末１２の表示画面側を上向きにした状態で着脱可能に保持することができる。前記ケース本体１４の端末ホルダ部１５に対応する外側面２２ａには、携帯情報端末１２の背面側に有するカメラのレンズ部を露出するカメラ窓２５が設けられている。前記保持枠２３は、携帯情報端末１２の機種やサイズに合わせて形成されるが、携帯情報端末１２の外周部を囲うものには限定されず、携帯情報端末１２の両側面に沿ってスライド可能に着脱する構成であってもよい。
【００２０】
前記カードホルダ部１６には、ＩＣカード１３を差し込むための挿入スリット２４が設けられている。この挿入スリット２４は、前記カードホルダ部１６の上下２か所に平行に設けられ、カードホルダ部１６内に２枚のＩＣカード１３を重ねた状態で収容可能である。
【００２１】
前記フレキシブル回路基板１７は、前記端末ホルダ部１５に対応するアンテナ部１８と、前記カードホルダ部１６に対応する発光部１９とを有し、図２及び図３に示すように、ケース本体１４の折曲げ部２０に沿って折り曲げ可能となっており、この折曲げ部２０を介して前記アンテナ部１８と発光部１９とが電気的に接続されている。このフレキシブル回路基板１７は、ケース本体１４の内部に組み込まれる。なお、本実施形態では、アンテナ部１８と発光部１９とが一体となったフレキシブル回路基板１７を用いたが、前記アンテナ部１８と発光部１９とを別々の回路基板によって形成し、ケース本体１４の折曲げ部２０に沿って電気的な配線を施すようにしてもよい。
【００２２】
前記アンテナ部１８は、端末ホルダ部１５側に設けられ、導電性の一対の細線をループ状にしてプリント配線してなるアンテナコイル２６によって形成されている。このアンテナ部１８では、ＩＣカード１３との送受信を行うために、リーダ／ライタ装置３０（図４）から送信される搬送波（１３．５６ＭＨｚ）によって生じる電力を得て発光部１９側に給電する機能を有している。なお、このアンテナ部１８では、発光部１９側に設けられる複数の発光素子（ＬＥＤ）２７を点灯させるための電力を前記搬送波から得るだけであり、外部との通信は行わないので、本来のＩＣカード１３との送受信に影響を及ぼすことはない。ただし、リーダ／ライタ装置３０からの搬送波の一部を利用しているため、複数のＩＣカード１３との送受信の際に電力不足が生じるおそれがある。このため、安定した送受信を行うために、前記カードホルダ部１６に同時に収容するＩＣカード１３は２枚までにするのが好ましい。
【００２３】
前記発光部１９は、前記カードホルダ部１６側の外側面２２ｂに発光面を向けて実装される複数のＬＥＤ２７と、この複数のＬＥＤ２７を所定の周期で発光点滅させるコントローラ２８とを備えている。このコントローラ２８は、前記アンテナコイル２６に発生する電力によって起動し、ここから各ＬＥＤ２７に電圧を供給している。各ＬＥＤ２７は同一の発光特性及び電気的特性を有して構成されるが、様々な装飾効果を得る場合は、発光色や発光輝度等の異なるものを選択して使用することができる。本実施形態では、１０個のＬＥＤ２７を規則的に配置したが、スペース的には余裕があるので、さらなるＬＥＤの追加配置も可能であり、配置パターンについても放射状や渦巻状等の複雑な構成にすることもできる。また、各ＬＥＤ２７は、図２に示したように、ケース本体１４の外側面２２ｂに設けた発光窓２９を通して発光するが、この発光窓２９に各色のフィルタを設けることで、様々な発光色によっては発光させることもできる。なお、前記外側面２２ｂの全体に透光性のシート部材を装着することによって、各発光窓２９に異物が侵入するのを防ぎ、発光が遮られないように保護することもできる。
【００２４】
次に、上記携帯ケース１１の使用方法について説明する。最初に、ケース本体１４の内側面２１ａ，２１ｂを開き、端末ホルダ部１５の保持枠２３に沿って携帯情報端末１２を表示画面が上向きになるようにして装着する。また、カードホルダ部１６には、各挿入スリット２４に必要なＩＣカード１３を差し込む。そして、前記端末ホルダ部１５とカードホルダ部１６とが重なるようにして、ケース本体１４を二つ折りした状態でポケットやカバン等に入れて持ち運ぶことができる。
【００２５】
前記携帯情報端末１２又はＩＣカード１３の送受信を行う際には、図４に示したように、駅の改札や店舗等のレジカウンタに備わるリーダ／ライタ装置３０に向けて端末ホルダ部１５側の外側面２２ａを近接させる。その際、カードホルダ部１６側の外側面２２ｂが上向きとなり、各ＬＥＤ２７からなる発光部１９が視認可能となる。このようにして、前記カード本体１４を二つ折りした状態でリーダ／ライタ装置３０上にかざすことで、携帯情報端末１２又は各種のＩＣカード１３に対応したデータの送受信を行うことができる。そして、そのデータの送受信と同時に前記発光部１９が複数のＬＥＤ２７からなる発光パターンによって発光し、データが読み取られたことを装飾的な視覚効果によって確認することができる。
【００２６】
前記データが読み取られた後に、携帯ケース１１をリーダ／ライタ装置３０から離間することによって、送受信動作が終了し、全てのＬＥＤ２７が消灯する。このように、携帯情報端末１２や各種のＩＣカード１３がリーダ／ライタ装置３０に近接した際の送受信用の搬送波を感知し、この搬送波によって発生した電力を利用して発光部１９に給電するので、電源部が不要である。
【００２７】
前記発光部１９の発光パターンは、前記フレキシブル回路基板１７に実装されているコントローラ２８のＲＯＭに予めプログラムされており、そのＲＯＭのプログラムを変更することで、様々な発光パターンを得ることができる。また、携帯情報端末１２や各種のＩＣカード１３ごとに対応した発光パターンにすることも可能である。
【００２８】
本実施形態では、ケース本体１４がアンテナ部１８と発光部１９とに折曲げ部２０を介して分かれているので、発光部１９についてはＬＥＤ２７の配置の自由度が高まり、各種の模様やアニメーション等に模した複雑な発光パターンを構成することができる。また、アンテナ部１８に関しても、アンテナコイル２６の配置が制限されることがないので、リーダ／ライタ装置３０からの搬送波を効率よく受けるように構成することができる。
【００２９】
以上説明したように、本考案における携帯ケースによれば、携帯情報端末と各種のＩＣカードを見開きで収容することができ、携帯する際やデータの送受信を行う際には、ケース本体を二つ折りした状態で使用でき、その外側面を前記データの送受信動作に連動して発光させることができる。また、アンテナ部及び発光部がシート状のフレキシブル回路基板によって形成されているので、厚みが増したり、折り曲げ性が悪くなったりすることがない。このため、従来の二つ折り可能なブック型のケースに発光窓を設けるなどの加工して組み込むことも可能であり、収容する携帯情報端末の種類やサイズ等に合わせた発光効果を有する携帯ケースを形成することができる。
【符号の説明】
【００３０】
１１  携帯ケース
１２  携帯情報端末
１３  ＩＣカード
１４  ケース本体
１５  端末ホルダ部
１６  カードホルダ部
１７  フレキシブル回路基板
１８  アンテナ部
１９  発光部
２０  折曲げ部
２１ａ，２１ｂ  内側面
２２ａ，２２ｂ  外側面
２３  保持枠
２４  挿入スリット
２５  カメラ窓
２６  アンテナコイル
２７  ＬＥＤ
２８  コントローラ
２９  発光窓
３０  リーダ／ライタ装置
【図１】
0003198867.tif 000003
【図２】
0003198867.tif 000004
【図３】
0003198867.tif 000005
【図４】
0003198867.tif 000006
【手続補正書】
【提出日】平成27年5月26日(2015.5.26)
【手続補正１】
【補正対象書類名】実用新案登録請求の範囲
【補正対象項目名】請求項６
【補正方法】変更
【補正の内容】
【請求項６】
前記端末ホルダ部が設けられるケース本体には携帯情報端末に内蔵のカメラ面が露出するカメラ窓が設けられ、前記カードホルダ部が設けられるケース本体の外側面には前記複数の発光ダイオードが露出する発光窓が設けられている請求項５に記載の携帯ケース。